(57)【要約】【課題】  従来は、薬瓶に設けた蓋に吊部材を介して計量板を支持し、この計量板に所定数の錠剤を収容できる凹部を設けた構成であって、薬瓶を逆さにして凹部に錠剤を挿入した後に、元の状態に戻して、凹部にのみ錠剤を収容し、蓋の取外しを利用してこの錠剤を取出し可能とした構成である。従って、錠剤の取出し量は一定であること、又は蓋の開閉を必要とした。【構成】  本発明は、錠剤通過用の孔と、孔の周辺に錠剤用の収容部を備えた容器の開放口に設ける下蓋と、下蓋の上に回転自在に設けた筒体と、複数個の錠剤を収容する錠剤孔とを備えた中蓋と、中蓋を支持し、かつ下蓋の外周壁に載る外周壁と、開閉自在の錠剤取出口とを備えた上蓋と、上蓋に記した錠剤孔の数に相当する錠剤数を表示した表示部とで構成した容器に設ける錠剤取出し用の蓋である。上蓋に記した表示部で示された所望数の錠剤を、上蓋の操作と、取出口より取出し可能とした。【選択図】    図１
2005053523.tif 000002
【特許請求の範囲】
【請求項１】
中央に錠剤通過用の孔と、この孔の周辺に錠剤用の収容部を備えた瓶、筒体等の容器の開放口に設ける下蓋と、この下蓋の上に回転自在に設けた当該下蓋の孔に係止される筒体と、複数個の錠剤を収容する錠剤孔とを備えた中蓋と、この中蓋を支持し、かつ前記下蓋の外周壁に載る外周壁と、開閉自在の錠剤取出口とを備えた上蓋と、前記下蓋に記した前記錠剤孔の数に相当する錠剤数を表示した表示部とで構成した瓶、筒体等の容器に設ける錠剤取出し用の蓋。
【請求項２】
請求項１の錠剤用の収容部を、貫通孔又は凹部とした構成の瓶、筒体等の容器に設ける錠剤取出し用の蓋。
【請求項３】
中央に孔と、この孔の周辺に錠剤用の収容部を備えた瓶、筒体等の容器の開放口に設ける下蓋と、この下蓋の上に回転自在に設けた当該下蓋の孔に係止される筒体と、複数個の錠剤を収容する錠剤孔とを備えた中蓋と、この中蓋を支持し、かつ前記下蓋の外周壁に載る外周壁と、開閉自在の錠剤取出口とを備えた上蓋と、前記下蓋に記した前記錠剤孔の数に相当する錠剤数を表示した表示部とで構成した瓶、筒体等の容器に設ける錠剤取出し用の蓋。
【請求項４】
請求項１の錠剤用の収容部を、貫通孔とした構成の瓶、筒体等の容器に設ける錠剤取出し用の蓋。
【発明の詳細な説明】
【技術分野】
【０００１】
本発明は、瓶、筒体等の容器（容器とする）内に収容された錠剤（カプセルを含む）から、所定数の錠剤を、錠剤通過用の孔より蓋内に収容、取出し可能、又は中蓋の錠剤孔を利用して、取出し可能とした瓶、筒体等の容器に設ける錠剤取出し用の蓋に関する。
【背景技術】
【０００２】
周知の如く、錠剤を所定数服用するのは、病気の治癒、又は健康維持、その他の目的等より重要である。また所定数服用を誤った場合には、思わぬ事態が発生することもあり得る。しかし、所定数の錠剤を、適確に容器より取出し、服用するには、なかなか厄介であり、この所作ができない人も少なくない。このような状況を改善するために、本発明を提供する。
【０００３】
尚、従来、容器内の錠剤を、所定数取出し可能とした発明が挙げられるので、文献（１）〜（３）として、以下に説明する。文献（１）は、特開平９−２７６３７５号の薬瓶蓋一体式計量器である。その内容は、薬瓶に設けた蓋に吊部材を介して計量板を支持し、この計量板に所定数の錠剤を収容できる凹部を設けた構成であって、薬瓶を逆さにして凹部に錠剤を挿入した後に、元の状態に戻して、凹部にのみ錠剤を収容し、蓋の取外しを利用してこの錠剤を取出し可能としたことを特徴とする。文献（２）は、特開平１１−１８９２８０号の粒状物を収納した容器の蓋体である。その内容は、蓋体にスペースを持って中蓋を設け、この中蓋に錠剤収容凹部と、通過孔を設けた構成であって、その使用の仕方は、前記の文献（１）に準ずる。さらに文献（３）は、実開平５−４９６４８号の錠剤容器の内蓋である。その内容は、蓋体にスペースを持って内蓋を設け、この内蓋に錠剤保持部と、錠剤通路を設けた構成であって、その使用の仕方は、前記の文献（１）に準ずる。
【０００４】
【特許文献１】特開平９−２７６３７５号
【０００５】
【特許文献２】特開平１１−１８９２８０号
【特許文献３】実開平５−４９６４８号
【発明の開示】
【発明が解決しようとする課題】
【０００６】
前述の文献（１）〜文献（３）は、何れも規定された所定数（規定数）の錠剤を収容し、この規定数の錠剤を取出す構成である。従って、錠剤の数を適宜変更することはできないこと、いちいち蓋を取外して、錠剤を取出す必要があり、手間を要すること等の改良点がある。そして、通常は、規定数の錠剤が取出されるので、服用する錠剤数が変わる場合には、間違って服用する危険性が残っている。また文献（１）では、蓋を取外し、錠剤を手に移動する際に、構造上の面から、誤って落とす危険性があり、この点に問題を残す。また文献（２）、（３）は、いちいち蓋を取外し、この蓋を反転して、片手に錠剤を取出す所作が必要となり、取出し操作が厄介であること等の問題点が考えられる。
【課題を解決するための手段】
【０００７】
請求項１の発明は、下蓋に記した表示部で示された所望する数（所望数）の錠剤を、上蓋の操作と、その取出口より取出し可能とした構成を提供すること、又は所望数の錠剤の取出しによって、簡易かつ誤認することなく服用可能とすること等を意図する。
【０００８】
請求項１は、中央に錠剤通過用の孔と、この孔の周辺に錠剤用の収容部を備えた瓶、筒体等の容器の開放口に設ける下蓋と、この下蓋の上に回転自在に設けた当該下蓋の孔に係止される筒体と、複数個の錠剤を収容する錠剤孔とを備えた中蓋と、この中蓋を支持し、かつ前記下蓋の外周壁に載る外周壁と、開閉自在の錠剤取出口とを備えた上蓋と、前記下蓋に記した前記錠剤孔の数に相当する錠剤数を表示した表示部とで構成した瓶、筒体等の容器に設ける錠剤取出し用の蓋である。
【０００９】
請求項２の発明は、請求項１の目的を達成すること、容器中の錠剤を、収容部の形状と、錠剤通過用の孔を利用して、中蓋と上蓋との空間に導き、当該収容部に、他の錠剤とは区画して収容可能とすること、又は上蓋の取出口の開放により、指等を利用して掴み取り可能とすること等を意図する。
【００１０】
請求項２は、請求項１の錠剤用の収容部を、貫通孔又は凹部とした構成の瓶、筒体等の容器に設ける錠剤取出し用の蓋である。
【００１１】
請求項３の発明は、上蓋に記した表示部で示された所望数の錠剤を、上蓋の操作と、その取出口より取出し可能とした構成を提供すること、又は所望数の錠剤の取出しによって、簡易かつ誤認することなく服用可能とすること等を意図する。
【００１２】
請求項３は、中央に孔と、この孔の周辺に錠剤用の収容部を備えた瓶、筒体等の容器の開放口に設ける下蓋と、この下蓋の上に回転自在に設けた当該下蓋の孔に係止される筒体と、複数個の錠剤を収容する錠剤孔とを備えた中蓋と、この中蓋を支持し、かつ前記下蓋の外周壁に載る外周壁と、開閉自在の錠剤取出口とを備えた上蓋と、前記下蓋に記した前記錠剤孔の数に相当する錠剤数を表示した表示部とで構成した瓶、筒体等の容器に設ける錠剤取出し用の蓋である。
【００１３】
請求項４の発明は、請求項１の目的を達成すること、容器中の錠剤を、収容部の形状と、貫通孔を利用して、中蓋から上蓋を経由して、この上蓋の取出口の開放により、手のひら等の取出し面に取出し可能とすること等を意図する。
【００１４】
請求項４は、請求項１の錠剤用の収容部を、貫通孔とした構成の瓶、筒体等の容器に設ける錠剤取出し用の蓋である。
【発明の効果】
【００１５】
請求項１の発明は、中央に錠剤通過用の孔と、孔の周辺に錠剤用の収容部を備えた瓶、筒体等の容器の開放口に設ける下蓋と、下蓋の上に回転自在に設けた下蓋の孔に係止される筒体と、複数個の錠剤を収容する錠剤孔とを備えた中蓋と、中蓋を支持し、かつ下蓋の外周壁に載る外周壁と、開閉自在の錠剤取出口とを備えた上蓋と、上蓋に記した錠剤孔の数に相当する錠剤数を表示した表示部とで構成した瓶、筒体等の容器に設ける錠剤取出し用の蓋である。
【００１６】
従って、請求項１は、上蓋に記した表示部で示された所望数の錠剤を、上蓋の操作と、その取出口より取出し可能とした特徴を有すること、又は所望数の錠剤の取出しによって、簡易かつ誤認することなく服用できること等の特徴を有する。
【００１７】
請求項２の発明は、請求項１の錠剤用の収容部を、貫通孔又は凹部とした構成の瓶、筒体等の容器に設ける錠剤取出し用の蓋である。
【００１８】
従って、請求項２は、請求項１の目的を達成できること、容器中の錠剤を、収容部の形状と、錠剤通過用の孔を利用して、中蓋と上蓋との空間に導き、当該収容部に、他の錠剤とは区画して収容可能となること、又は上蓋の取出口の開放により、指等を利用して掴み取り可能となること等の特徴がある。
【００１９】
請求項３の発明は、中央に孔と、孔の周辺に錠剤用の収容部を備えた瓶、筒体等の容器の開放口に設ける下蓋と、下蓋の上に回転自在に設けた下蓋の孔に係止される筒体と、複数個の錠剤を収容する錠剤孔とを備えた中蓋と、中蓋を支持し、かつ下蓋の外周壁に載る外周壁と、開閉自在の錠剤取出口とを備えた上蓋と、上蓋に記した錠剤孔の数に相当する錠剤数を表示した表示部とで構成した瓶、筒体等の容器に設ける錠剤取出し用の蓋である。
【００２０】
従って、請求項３は、下蓋に記した表示部で示された所望数の錠剤を、上蓋の操作と、その取出口より取出し可能とした特徴を有すること、又は所望数の錠剤の取出しによって、簡易かつ誤認することなく服用できること等の特徴を有する。
【００２１】
請求項４の発明は、請求項１の錠剤用の収容部を、貫通孔とした構成の瓶、筒体等の容器に設ける錠剤取出し用の蓋である。
【００２２】
従って、請求項４は、請求項１の目的を達成できること、容器中の錠剤を、収容部の形状と、貫通孔を利用して、中蓋から上蓋を経由して、この上蓋の取出口の開放により、手のひら等の取出し面に取出し可能となること等の特徴を有する。
【発明を実施するための最良の形態】
【００２３】
以下、本発明の実施の態様（形態）を説明する。
【００２４】
図１〜図９に示す例は、請求項１、請求項２に対応する一例であり、瓶、筒体等の容器１の開放口１００に設けた、その中央に錠剤通過用の孔２と、孔２の周辺に錠剤用の収容部３を備えた下蓋４と、この下蓋４の上に回転自在に設けた、当該下蓋４の孔２に係止される爪体５ａ及び孔５ｂを備えた筒体５と、複数個の錠剤を収容する錠剤孔６とを備えた中蓋７と、中蓋７を支持し、かつ下蓋４の外周壁４ａに載る外周壁８ａと、開閉自在の錠剤取出口９とを備えた上蓋８と、前記下蓋４に記した錠剤孔６の数に相当する錠剤数を表示した表示部１０とで構成される。尚、下蓋４と上蓋８とは係止手段を介して回転自在で、かつ一体構造に構成される。また表示部１０は、上蓋８の印４ｂに合わせた場合に、この錠剤数に適合するように、錠剤孔６（数は限定されない）と下蓋４の板部４cとが整合し、この規定数の錠剤が取出される。他の錠剤孔６と収容部３が整合することにより、この整合貫通孔Ｈ２及び／又は孔２より余分の錠剤は、容器１に戻される。この具体的な一例を、図３をもとに説明すると、表示部１０を「３」とし、印４ｂに合わせた場合は、３個の錠剤孔６と板部４cとが整合し、錠剤３錠が取出される構造である。この際に、２ヵ所の整合貫通孔Ｈ２及び／又は孔２より余分の錠剤は、容器１に戻される。また表示部１０を「１」とし、印４ｂに合わせた場合は、１個の錠剤孔６と板部４cが整合し、錠剤１錠が取出される構造である。
【００２５】
この例における錠剤の取出し方法を説明する。図１〜図５に示した第１の例として、収容部３が孔構造では、下蓋４を回転し、この下蓋４の表示部１０の数を、印４ｂに合わせると、この板部４cと選択した表示部１０の数に対応した錠剤孔６とが整合し（整合孔Ｈ１が形成される）、所望数の錠剤が取出せる。この際、余分の錠剤は、容器１に戻すのは前述の通りである。そこで、上蓋８の取出口９を開放して、容器１を逆さにし、この容器１を優しく振る等の所作で、前記整合孔Ｈ１より所望数の錠剤が取出せる。この状態である限り、同じように容器１を逆さにし、この容器１を優しく振ることで所望数の錠剤が取出せる機構である。この取出しの際に、錠剤通過用の孔２より錠剤がこぼれないように注意する。勿論、この錠剤通過用の孔２が錠剤より小さい構造では、この心配はない。尚、錠剤通過用の孔２が錠剤より大きいときは、錠剤の容器１への戻りがスムーズに行える。また筒体５を有する構造では、錠剤数の変更も可能であり、例えば、錠剤が、五箇所の錠剤孔６に、５錠収容されている状態で、その数を３錠にする場合は、上蓋８を回転し、印４ｂを表示部１０の３に合わせる。この際に、この余分の錠剤孔６と、収容部３が整合し、整合貫通孔Ｈ２が形成されることから、当該余分の錠剤は、この整合貫通孔Ｈ２より容器１内に落下する。この所作により、前記５錠が、スムーズに３錠の錠剤へと変更できる。以上で説明した錠剤の取出し方法と、又は錠剤数を変更しての取出し方法等は一例であり限定されない。また同じ構造では、この第１の例を適用する。
【００２６】
また図６に示した第２の例として、収容部３が凹部構造では、表示部１０の数を、印４ｂに合わせると、この収容部３と選択した表示部１０の数に対応した錠剤孔６とが整合し（整合凹部Ｈ３が形成される）、この整合凹部Ｈ３に錠剤を収容することで、所望数の錠剤が取出せる。この際に、中蓋７の他の錠剤孔６に存在する余分の錠剤は、板部４cにあり、収容部３にないことから、通常は錠剤の略半分以上がこの中蓋７の上にあるので、容器１を振るか、又は傾ける等することで、当該他の錠剤孔６に存在する余分の錠剤は、他の余分の錠剤とともに孔２より、容器１に戻される。即ち、他の錠剤孔６の下には、下蓋４の板部４ｃが位置しており、この他の錠剤孔６は盲孔Ｈ４となる。従って、この他の錠剤孔６には錠剤が入りずらくなり、孔２より容器１に戻る。そこで、容器１を逆さにし、この容器１を優しく振る等の所作で、前記整合凹部Ｈ３に所望数の錠剤を収容する。そして、各余分の錠剤を、錠剤通過用の孔２より容器１に戻した後、上蓋８の取出口９を開放して、容器１を逆さにし、所望数の錠剤を取出す機構である。
【００２７】
また図７〜図９に示した第３の例として、カプセルを収容する錠剤取出し用の蓋に関して説明する。この例では、錠剤孔６の形状を平面視して略釣鐘形状とした中蓋７構造であるが、筒体５等は前述の図１〜図６の例に準ずる。また他の構造も前述の図１〜図６の例に準ずる。図中８０は取出口９の開閉用の開閉蓋を示す。
【００２８】
図１０に示す例は、請求項３、請求項４に対応する一例であり、瓶、筒体等の容器１の開放口１００に設けた、その中央に連結用の孔２００と、孔２００の周辺に錠剤用の収容部３を備えた下蓋４と、この下蓋４の上に回転自在に設けた、当該下蓋４の孔２００に係止される爪体５００ａを備えた筒体５００と、複数個の錠剤を収容する錠剤孔６とを備えた中蓋７と、中蓋７を支持し、かつ下蓋４の外周壁４ａに載る外周壁８ａと、開閉自在の錠剤取出口９とを備えた上蓋８と、下蓋４に記した錠剤孔６の数に相当する錠剤数を表示した表示部１０とで構成される。尚、下蓋４と上蓋８とは係止手段を介して回転自在で、かつ一体構造に構成される。また表示部１０は、上蓋８の印４ｂに合わせた場合に、この錠剤数に適合するように、錠剤孔６と収容部３が整合し、この規定数の錠剤が取出される。例えば、表示部１０を「３」とし、印４ｂに合わせた場合は、３個の錠剤孔６と収容部３が整合し、錠剤３錠が取出される構造である。また表示部１０を「１」とし、印４ｂに合わせた場合は、錠剤１個の錠剤孔６と収容部３が整合し、１錠が取出される構造である。
【００２９】
この例における錠剤の取出し方法を説明する。第１の例として、収容部３が孔構造では、表示部１０の数を、印４ｂに合わせると、この収容部３と選択した表示部１０の数の錠剤孔６とが整合し（整合孔Ｈ１が形成される）、所望数の錠剤が取出せる。その後の錠剤の取出し等は前述の通りである。この取出しの際に、前述の例とは異なり、錠剤通過用の孔２より錠剤のこぼれを心配する必要がなく重宝する。尚、この例においても、前述の図６の例は採用できる。但し、余分の錠剤は、整合貫通孔Ｈ２より容器１に戻される。
【図面の簡単な説明】
【００３０】
【図１】請求項１、請求項２に対応した全体の側面図
【図２】図１の断面図
【図３】図１の下・中蓋の断面図
【図４】図１の下蓋の平面図
【図５】図１の中蓋の断面図
【図６】図１の他の例を示した下・中蓋の断面図
【図７】請求項１、請求項２に対応した他の下・中蓋の断面図
【図８】図７の下蓋の平面図
【図９】図７の中蓋の平面図
【図１０】請求項３、請求項４に対応した下・中蓋の断面図
【符号の説明】
【００３１】
１             容器
１００         開放口
２             孔
２００         孔
３             収容部
４             下蓋
４ａ           外周壁
４ｂ           印
４ｃ           板部
５             筒体
５ａ           爪体
５ｂ           孔
５００         筒体
５００ａ       爪体
６             錠剤孔
７             中蓋
８             上蓋
８ａ           外周壁
８０           開閉蓋
９             取出口
１０           表示部
Ｈ１           整合孔
Ｈ２           整合貫通孔
Ｈ３           整合凹部
Ｈ４           盲孔
【図１】
2005053523.tif 000003
【図２】
2005053523.tif 000004
【図３】
2005053523.tif 000005
【図４】
2005053523.tif 000006
【図５】
2005053523.tif 000007
【図６】
2005053523.tif 000008
【図７】
2005053523.tif 000009
【図８】
2005053523.tif 000010
【図９】
2005053523.tif 000011
【図１０】
2005053523.tif 000012